(57)【要約】      （修正有）【課題】構造が簡単で、使いやすく、輸送の安定性と利便性を向上させ、使用寿命を延長し、物品をしっかり固定することができ、また、物品が滑り落ちることを効果的に防止し、安全性を改善できる可動式物流用パレットを提供する。【解決手段】パレット本体１を備え、そのパレット本体はベース２と、支持部材と、可動装置とを含み、支持部材はベースの周囲に取り付けられ、可動装置はベースの下端に取り付けられ、可動装置はホイール６と、ブラケット７と、支持軸８とを含み、ブラケットとホイールは支持軸によって連結され、支持部材は支持フレーム３と固定クリップ４とを含み、支持フレームの上端には固定クリップが配置され、支持フレームと固定クリップとの間には回転軸５が配置され、支持フレームの内側にはバッフルが固定され、バッフルには滑り止め突起が配置される。【選択図】図１
0003222883.tif 000002
【実用新案登録請求の範囲】
【請求項１】
パレット本体を備え、前記パレット本体はベースと、支持部材と、可動装置とを含み、
前記支持部材は前記ベースの周囲に取り付けられ、前記可動装置は前記ベースの下端に取り付けられ、前記可動装置はホイールと、ブラケットと、支持軸とを含み、前記ブラケットと前記ホイールは支持軸によって連結され、前記支持部材は支持フレームと固定クリップとを含み、前記支持フレームの上端には固定クリップが配置され、前記支持フレームと前記固定クリップとの間には回転軸が配置され、支持フレームの内側にはバッフルが固定され、前記バッフルには滑り止め突起が配置される可動式物流用パレット。
【請求項２】
前記ブラケットとベースの接合部に補強リブが設けられることを特徴とする請求項１記載の可動式物流用パレット。
【請求項３】
前記ホイールはユニバーサルホイールであることを特徴とする請求項１記載の可動式物流用パレット。
【請求項４】
前記支持フレームに滑り止めゴム層がコーティングされることを特徴とする請求項１記載の可動式物流用パレット。
【考案の詳細な説明】
【技術分野】
【０００１】
本考案は、パレットに関し、特に可動式物流用パレットに関する。
【背景技術】
【０００２】
社会の継続的な進歩に伴い、物流業界で使用されるツールは多様化し、パレットの適用範囲もますます広くなっており、それに対する要求もますます高くなっている。パレットは物流分野での非常に重要なツールであるが、既存のパレットには、物品の積み重ねやフォークリフトの輸送を容易にするためのキャリアとしてのみ使用されており、使い捨ての木製構造のパレットと、何度もリサイクルされるプラスチックパレットとの二種類が含まれる。既存のパレットは一般的に、共通の欠陥を持っている。即ち、それを移動または輸送させるためにはフォークリフトの利用に頼ることしかできないことである。従ってフォークリフトが到達できない荷積みポイントでフォークリフトでパレットを移動または輸送することは困難である。
【０００３】
それゆえ、底部にホイールを備えるパレットが開発され、それによってフォークリフトがなくでもパレットを移動することが可能になり、パレットの使用の利便性をある程度向上させた。しかし、まだ次のような欠点がある。
【０００４】
上記のパレットは一つのフットペダルによって二つのホイールを駆動して昇降させるものであるが、一般的には、パレットには四つのホイールが設置されているため、パレットを昇降する際には二人でともに操作することが必要となり、作業が面倒である。また、各ホイールの昇降速度や昇降距離を制御することが難しく、安定性が悪く、物品が傾いてしまう状況があり、多くの不安全要素を引き起こす。液圧シリンダは衝撃吸収効果がなく、移動中または輸送中にパレットが大きく振動し、輸送の安定性が悪く、物品が振動により破損する恐れがある。パレットがコンテナ内に置かれて輸送されるときには、パレットの底部とコンテナの底部との間の摩擦にのみによってパレットを固定するので、輸送中のパレットの安定性は低く、パレットがコンテナ内で自由に動くような状況が発生しやすい。
【０００５】
従って、上記課題を解決するために、本考案は新しい技術的な解決策を提案する。
【考案の概要】
【考案が解決しようとする課題】
【０００６】
本考案は、一種の可動式物流用パレットを提供する。
【課題を解決するための手段】
【０００７】
本考案が採用する技術的な解決策は：
パレット本体を備え、前記パレット本体はベースと、支持部材と、可動装置とを含み、前記支持部材は前記ベースの周囲に取り付けられ、前記可動装置は前記ベースの下端に取り付けられ、前記可動装置はホイールと、ブラケットと、支持軸とを含み、前記ブラケットと前記ホイールは支持軸によって連結され、前記支持部材は支持フレームと固定クリップとを含み、前記支持フレームの上端には固定クリップが配置され、前記支持フレームと前記固定クリップとの間には回転軸が配置され、支持フレームの内側にはバッフルが固定され、前記バッフルには滑り止め突起が配置される可動式物流用パレットとする。
【０００８】
また、前記ブラケットとベースの接合部に補強リブが設けられる。
【０００９】
また、前記ホイールはユニバーサルホイールである。
【００１０】
また、前記支持フレームに滑り止めゴム層がコーティングされる。
【考案の効果】
【００１１】
本考案の有益な効果は、構造が簡単で、使いやすく、パレットの上の物品を固定クリップでクランプすることで、輸送の安定性と利便性を向上させ、使用寿命を延長し、物品をしっかり固定することができ、また、バッフルと滑り止め突起を設置することにより、物品が滑り落ちることを効果的に防止し、安全性を改善し、そして多様な機能を持ち、様々なニーズに応じることができる。
【図面の簡単な説明】
【００１２】
【図１】本考案の構造の概略図である。
【考案を実施するための形態】
【００１３】
図1に示すのは、パレット本体１を備え、パレット本体１はベース２と、支持部材と、可動装置とを含み、支持部材はベース２の周囲に取り付けられ、可動装置はベース２の下端に取り付けられ、支持部材は支持フレーム３と固定クリップ４とを含み、支持フレーム３の上端には固定クリップ４が配置され、支持フレーム３と固定クリップ４との間には回転軸５が配置され、支持フレーム３の内側にはバッフル１１が固定され、バッフル１１には滑り止め突起１０が配置され、可動装置はユニバーサルホイール６と、ブラケット７と、支持軸８とを含み、ブラケット７とユニバーサルホイール６は支持軸８によって連結され、ブラケット７とベース２の接合部に補強リブ９が設けられ、支持フレーム３に滑り止めゴム層がコーティングされる可動式物流用パレットである。
【００１４】
本考案の有益な効果は、構造が簡単で、使いやすく、パレットの上の物品を固定クリップでクランプすることで、輸送の安定性と利便性を向上させ、使用寿命を延長し、物品をしっかり固定することができ、また、バッフルと滑り止め突起を設置することにより、物品が滑り落ちることを効果的に防止し、安全性を改善し、そして多様な機能を持ち、様々なニーズに応じることができる。
【００１５】
以上は単に本考案の好ましい実施形態のみであり、本考案を任意の他の形式で限定するものではなく、本考案の技術的な本質に基づいて任意の変更および等効変換は、依然として本考案の特許保護範囲に含まれる。
【符号の説明】
【００１６】
１  パレット本体
２  ベース
３  支持フレーム
４  固定クリップ
５  回転軸
６  ユニバーサルホイール
７  ブラケット
８  支持軸
９  補強リブ
１０  滑り止め突起スライディングスロット
１１  バッフル
【図１】
0003222883.tif 000003
【手続補正書】
【提出日】平成30年9月28日(2018.9.28)
【手続補正１】
【補正対象書類名】明細書
【補正対象項目名】００１３
【補正方法】変更
【補正の内容】
【００１３】
１  パレット本体
２  ベース
３  支持フレーム
４  固定クリップ
５  回転軸
６  ユニバーサルホイール
７  ブラケット
８  支持軸
９  補強リブ
１０  滑り止め突起
１１  バッフル